(57)【特許請求の範囲】
【請求項１】
無極性の熱可塑性樹脂からなる第１の防食用被覆と、該第１の防食用被覆とは異質の材料からなる第２の防食用被覆との継ぎ目の構造であって、第１および第２の両防食用被覆を継ぐ継ぎ部材を含み、前記継ぎ部材が前記第１の防食用被覆と同質の材料からなる本体と、該本体に固着された布とを有し、前記第１の防食用被覆が前記継ぎ部材の本体に溶着されまた前記第２の防食用被覆が前記継ぎ部材の布に接着されている、防食用被覆の継ぎ目の構造。
【請求項２】
前記継ぎ部材が前記本体から突出する複数の突起を有する、請求項１に記載の構造。
【請求項３】
無極性の熱可塑性樹脂からなる第１の防食用被覆と、該第１の防食用被覆とは異質の材料からなる第２の防食用被覆とを継ぐために用いられる継ぎ部材であって、前記第１の防食用被覆と同質の材料からなる本体と、該本体に固着された布とを有する、継ぎ部材。
【請求項４】
さらに、前記本体から突出する複数の突起を有する、請求項３に記載の継ぎ部材。
【発明の詳細な説明】
【０００１】
【発明の属する技術分野】
本発明は、既設のコンクリート製下水道設備、特に下水道管の補修のためにその内周面に施される互いに異質の材料からなる防食用被覆、具体的には無極性の熱可塑性樹脂からなる防食用被覆と、該防食用被覆とは異質の材料からなる防食用被覆との継ぎ目の構造およびこれに適用される継ぎ部材に関する。
【０００２】
【従来の技術】
既設のコンクリート製下水道管は、これを流れる汚水から発生する硫化水素および汚水中の硫酸の長年にわたる化学作用を受けて、その内周面が劣化することがあり、劣化した下水道管について補修することが行われている。補修は、下水道管の劣化した部分を除去し、除去跡をモルタルで覆った後、該モルタルの層が規定する周面を防食用材料で被覆することにより行われている。
【０００３】
この補修においては、下水道管の劣化の程度に合わせて、また、補修場所の作業上の制約を考慮して、下水道管が異なる防食材料で被覆されることがある。すなわち、劣化の程度が低い部分はローラ掛け、吹き付け等により例えばビニルエステル樹脂で被覆され、また、劣化の程度が高い部分は無極性の熱可塑性樹脂の一つである例えば高密度ポリエチレンシートで被覆される。両被覆は後に互いに接続される。
【０００４】
ところで、質の異なる防食材料からなる両被覆は気密・液密的に接続または継がれる必要があるところ、高密度ポリエチレンシートのような無極性の熱可塑性樹脂は、これと同質の材料とは溶着により接合可能であるが、これと異質の材料とは溶着によってもまた接着剤によっても接合しないという性質を有する。
【０００５】
このため、両防食用被覆を接続しまたは継ぐため、両被覆の一部を覆うプラスチック製のプレートと、該プレートといずれか一方の防食用被覆とを貫通しかつ前記下水道管に達するアンカー部材と、両防食用被覆と前記プレートとの間の隙間を埋めるシリコンシーラントとからなる継ぎ目構造が適用されていた。
【０００６】
しかし、長い時間の経過の間には、前記硫化水素や硫酸が前記アンカー部材の貫通孔を経て下水道管に達し、このために下水道管がわずかづつ侵され、劣化するおそれがある。
【０００７】
【発明が解決しようとする課題】
本発明の目的は、無極性の熱可塑性樹脂からなる防食用被覆と、該防食用被覆とは異種の材料からなる防食用被覆とを気密かつ液密に継ぐための継ぎ目の構造を提供することにあり、さらに、他の目的は、この構造に好適な継ぎ部材を提供することにある。
【０００８】
【課題を解決するための手段】
本発明は、例えば下水道管の内周面に施される無極性の熱可塑性樹脂からなる第１の防食用被覆と、該第１の防食用被覆とは異質の材料からなる第２の防食用被覆との継ぎ目の構造に関し、第１および第２の両防食用被覆を継ぐ継ぎ部材を含む。前記継ぎ部材は前記第１の防食用被覆と同質の材料からなる本体と、該本体に固着された布とを有し、前記第１の防食用被覆が前記継ぎ部材の本体に溶着されかつ前記第２の防食用被覆が前記継ぎ部材の布に接着されている。前記継ぎ部材は、好ましくは、その本体から突出する複数の突起を有する。
【０００９】
【作用および効果】
本発明によれば、無極性の熱可塑性樹脂からなる第１の防食用被覆と、該被覆とは異質の材料からなる第２の防食用被覆とが継ぎ部材を介して接続される。前記継ぎ部材は、前記第１の防食用被覆と同質の材料からなる本体を有するため、前記継ぎ部材と前記第１の防食用被覆とを溶着し、これにより、両者を気密かつ液密に接続することができる。また、前記継ぎ部材の本体とは異質の材料からなる第２の防食用被覆は、前記継ぎ部材にその布を介して接着することができ、この接着により、両者の接続を気密かつ液密のものとすることができる。したがって、互いに異なる材質からなる第１および第２の防食用被覆についての接続箇所または継ぎ目は気密性および液密性を有し、また、これらの機密性および液密性は長期間維持することができる。
【００１０】
また、前記継ぎ部材に設けられた突起は、下水道管の補修の際、劣化部分の除去跡に打設されこれを埋めるモルタルの層に前記継ぎ部材が固定されたときのアンカーとしての機能を担う。
【００１１】
【発明の実施の形態】
図１を参照すると、マンホール等と共に下水道設備の一部をなすコンクリート製の既設の下水道管１０の補修のため、劣化したコンクリート部分すなわち下水道管１０の内周面を含む一部が削り取られ、その削り取られた跡がモルタル１２で埋められている。さらに、モルタル１２の層が規定する内周面が、その軸線方向に関する２カ所において、互いに質を異にする防食材料からなる２つの防食用被覆（以下、単に「被覆」という。）１４，１６で覆われている。
【００１２】
さらに、両被覆１４，１６の継ぎ目には本発明に係る継ぎ目構造１８が適用され、両被覆１４，１６は継ぎ目構造１８をもって互いに気密かつ液密に接続または継がれている。この継ぎ目構造１８により、モルタル１２および下水道管１０のコンクリート部分への、下水道管１０内を流れる汚水から発生する硫化水素または該汚水中の硫酸の侵入が防止される。
【００１３】
一方（図上右方）の被覆１４はポリエチレン樹脂やポリプロピレン樹脂のような無極性の熱可塑性樹脂（図示の例では高密度ポリエチレン樹脂）製のシートからなり、また、他方（同左方）の被覆１６はエポキシ樹脂、ポリウレタン樹脂、、ポリビニル樹脂、これらの繊維強化樹脂等のこて塗り、吹き付け等による塗層からなる。
【００１４】
両被覆１４，１６は、共に、モルタル１２の層が規定する周面に沿って伸びかつこれに密着している。一方の被覆１４は、図示の例では、モルタル１２中に伸びる複数の突起２０を有し、これらの突起２０は被覆１４がモルタル１２の層から剥がれにくくするアンカーの役割をなしている。
【００１５】
他方の被覆１６は、図示の例では、被覆１６のモルタル１２の層への密着性をより良好なものとするため、酸変性塩素化ポリプロピレン樹脂、ポリエチレン樹脂のような反応性のプライマーやアクリル樹脂、エポキシ樹脂、ウレタン樹脂、シリコーン樹脂のような非反応性のプライマー２２の層を介して、モルタル１２の層に塗布されている。
【００１６】
これらの被覆１４，１６は、下水道管１０の劣化の程度（したがって、下水中の前記硫化水素または硫酸の濃度の程度）に応じてあるいは補修箇所の場所的制約（例えば、カーブの大きさ）を考慮して選択して適用される。また、両被覆１４，１６の順次にまたは同時に設置または施工される。
【００１７】
本発明に係る継ぎ目構造１８は、継ぎ部材２４を含む。
【００１８】
図示の継ぎ部材２４は全体に矩形の平面形状を有する板状体からなり、その複数個がモルタル１２の層に沿ってその周方向に配列されている。この例に代えて、前記継ぎ部材は、全体に環状または円筒状を呈するものとすることができる。
【００１９】
継ぎ部材２４は、一方の被覆１４と同質の材料、すなわち図示の例では高密度ポリエチレン樹脂からなる板状の本体２６と、該本体の一方の片面に固着されその全体を覆う矩形状の布２８とからなる。
【００２０】
本体２６は、一方の被覆１４と、他方の被覆１６のプライマー２２との間の間隔にほぼ等しい幅寸法（下水道管１０の軸線方向に関する寸法）を有し、これらの間において、布２８の固着面と反対の側の面すなわち他方の片面においてモルタル１２の層に密接している。
【００２１】
継ぎ部材２４は、その本体の２６の他方の片面を固化前のモルタル１２の層に押し付け、これにより、モルタル１２の層に固定する。図示の本体２６は、その他方の片面から突出する複数の突起３０を有し、突起３０は、被覆１４の突起２０と同様、モルタル１２の層中に埋設され、継ぎ部材２４をモルタル１２の層に固定するアンカーとしての作用をなす。
【００２２】
継ぎ部材２４は、その本体２６の一方の側部（下水道管１０の軸線方向に関する一方の側部）において被覆１４に溶着され、また、他方の側部（下水道管１０の軸線方向に関する他方の側部）においてプライマー２２に接している。
【００２３】
本体２６の被覆１４への溶着は、従来行われていると同様の方法で、例えば本体１６および被覆１４の互いに相対する両端面にこれらを溶解することができる溶剤を塗布し、これにより軟化した本体２６の端面を、同様に軟化した被覆１４の端面に押し付ることにより行うことができる。互いに溶着された本体２６および被覆１４の間には気密性および液密性が付与され、これらの間からの前記硫化水素ガスまたは硫酸の侵入を阻止することができる。
【００２４】
また、布２８は、本体２６の成形時、該布の片面が本体２６に埋設され、これにより、本体２６に固着されている。布２８は、板状の本体２６の片面の少なくとも一部すなわち下水道管１０の周方向に関する本体２６の一端から他端までの部分を覆うものであってもよい。
【００２５】
他方の被覆１６は布２８に接着され、これにより、これらの間に気密性および液密性が付与されている。このことから、これらの間からの前記硫化水素ガスまたは硫酸の侵入が阻止される。
【００２６】
布２８への他の被覆１６の接着は、継ぎ部材２４と一方の被覆１４との溶着後またはこれに先立ち、プライマー２２上からさらに布２８面上まで前記防食材料を塗り付け、吹き付け等し、これにより被覆１６を延伸することにより行う。その結果、被覆１６の延伸部分が布２８に接着される。前記延伸部分の形成のための防食材料の塗り付け、吹き付け等に先立ち、布２８面に接着剤を塗布することができる。これにより、被覆１６と布２８との間の密着性、したがって気密性および液密性をより高めることができる。
【００２７】
布２８は、例えばポリエステル繊維からなる。布２８を構成する繊維は、被覆１６の構成材料または前記接着剤と親和性のあるものであることが望ましい。
【００２８】
被覆１６の前記延伸部分は、下水道管１０の軸線方向に関する布２８の両端部間の一部のみを覆う図示の例に代えて、布２８の全面を覆うものとしてもよい。
【図面の簡単な説明】
【図１】本発明に係る継ぎ目構造の概略的な部分断面図である。
【符号の説明】
１０  下水道管
１２  モルタル
１４，１６  防食用被覆
１８  継ぎ目構造
２４  継ぎ部材
２６  本体
２８  布
３０  突起
【図１】
0003863284.tif 000002